(57)【要約】【課題】内燃機関の排気熱を利用して自動変速機の作動オイルを加熱する場合において、排気を適切な温度とすることにより作動オイルを適切に加熱することができるオイル加熱装置を提供する。【解決手段】内燃機関５においては、第１のバンク２１の燃焼室２３〜２５から排出される排気が第１の排気管３１を流れる。第１の排気管３１から分岐されるバイパス管３７は、自動変速機４０のオイルパンの下方まで延伸されており、自動変速機４０の作動オイルは、バイパス管３７を流れる排気の熱により加熱される。電子制御装置７０は、作動オイルの加熱に際して、第１のバンク２１の燃焼室２３〜２５における点火時期を遅角する昇温制御を実行する。【選択図】図１
2010144801.tif 000002
【特許請求の範囲】
【請求項１】
内燃機関の排気の熱により自動変速機の作動オイルを加熱する加熱手段と、
前記加熱手段による前記作動オイルの加熱に際して、前記機関の排気を昇温させる昇温制御を実行する昇温手段とを備える
ことを特徴とする自動変速機のオイル加熱装置。
【請求項２】
請求項１に記載の自動変速機のオイル加熱装置において、
前記機関の排気管には排気浄化触媒が設けられる
ことを特徴とする自動変速機のオイル加熱装置。
【請求項３】
請求項１又は２に記載の自動変速機のオイル加熱装置において、
前記機関は、複数の気筒を有し、
前記加熱手段は、前記複数の気筒のうちの一部の気筒から排出される排気のみを用いて前記作動オイルの加熱を行い、
前記昇温手段は、排気が前記作動オイルの加熱に用いられる気筒のみを対象として前記昇温制御を実行する
ことを特徴とする自動変速機のオイル加熱装置。
【請求項４】
請求項３に記載の自動変速機のオイル加熱装置において、
前記機関は、複数のバンクを有し、
前記加熱手段は、前記複数のバンクのうちの一部のバンクの気筒から排出される排気のみを用いて前記作動オイルの加熱を行い、
前記昇温手段は、前記一部のバンクの気筒のみを対象として前記昇温制御を実行する
ことを特徴とする自動変速機のオイル加熱装置。
【請求項５】
請求項１〜４のいずれか１項に記載の自動変速機のオイル加熱装置において、
前記昇温手段は、前記機関に供給される燃料の増量及び前記機関における点火時期の遅角の少なくともいずれかを前記昇温制御として実行する
ことを特徴とする自動変速機のオイル加熱装置。
【請求項６】
請求項３又は４に記載の自動変速機のオイル加熱装置において、
前記昇温手段は、前記昇温制御の対象となる気筒に供給される燃料の量をそうでない気筒に供給される燃料の量よりも増量すること、及び前記昇温制御の対象となる気筒の点火時期をそうでない気筒の点火時期よりも遅角することの少なくともいずれかを前記昇温制御として実行する
ことを特徴とする自動変速機のオイル加熱装置。
【請求項７】
請求項１〜６のいずれか１項に記載の自動変速機のオイル加熱装置において、
前記加熱手段は、前記自動変速機のオイルパン内に設けられるオイルストレーナの吸込口近傍において前記作動オイルを加熱する
ことを特徴とする自動変速機のオイル加熱装置。
【請求項８】
請求項１〜７のいずれか１項に記載の自動変速機のオイル加熱装置において、
前記加熱手段は、前記機関の排気管から分岐されて前記自動変速機のオイルパンの下方に延伸されるバイパス管を備える
ことを特徴とする自動変速機のオイル加熱装置。
【請求項９】
請求項８に記載の自動変速機のオイル加熱装置において、
前記加熱手段は、前記作動オイルの温度を検出する油温センサと、前記検出される前記作動オイルの温度に基づいて前記バイパス管を流れる排気の流量を調整する調整弁とを備える
ことを特徴とする自動変速機のオイル加熱装置。
【請求項１０】
請求項８又は９に記載の自動変速機のオイル加熱装置において、
前記加熱手段は、前記自動変速機のオイルパンの上面において前記吸込口の直下の部位を中心として放射状に延伸して立設される複数のフィンをさらに備え、
前記バイパス管は、前記オイルパンにおいて前記複数のフィンが形成される部位においてのみ前記オイルパンに当接される  
ことを特徴とする自動変速機のオイル加熱装置。
【発明の詳細な説明】
【技術分野】
【０００１】
本発明は、自動変速機の作動オイル（ＡＴＦ）を加熱するオイル加熱装置に関するものである。
【背景技術】
【０００２】
従来から、例えば特許文献１に記載されるように、内燃機関の排気熱を利用して自動変速機の作動オイルを加熱するオイル加熱装置があり、このように作動オイルを加熱して高温に保つことにより、自動変速機の作動及び潤滑が適切に行われるようにしている。
【特許文献１】特開２００３−３１４６７３号公報
【発明の開示】
【発明が解決しようとする課題】
【０００３】
ところで、機関運転状態によっては排気の温度がさほど高くない場合がある。しかしながら、特許文献１に記載のオイル加熱装置では、そのような場合にも、排気による作動オイルの加熱が行われることがあり、排気熱を利用した作動オイルの加熱が適切に行われない虞がある。また、燃焼室から排出される排気の温度が高い場合であっても、排気の熱により作動オイルに加え排気浄化触媒などを加熱する必要がある場合には、作動オイルと作動オイル以外の加熱対象との加熱を両立できない場合がある。
【０００４】
本発明は、こうした実情に鑑みてなされたものであり、その目的は、内燃機関の排気熱を利用して自動変速機の作動オイルを加熱する場合において、排気を適切な温度とすることにより作動オイルを適切に加熱することができるオイル加熱装置を提供することにある。
【課題を解決するための手段】
【０００５】
以下、上記課題を解決するための手段及びその作用効果について記載する。
請求項１に記載の発明は、自動変速機のオイル加熱装置であって、内燃機関の排気の熱により自動変速機の作動オイルを加熱する加熱手段と、前記加熱手段による前記作動オイルの加熱に際して、前記機関の排気を昇温させる昇温制御を実行する昇温手段とを備えることを要旨とする。
【０００６】
上記構成によれば、作動オイルの加熱に際して、内燃機関の排気を昇温させることができるため、高温の排気により作動オイルを適切に加熱することができる。
請求項２に記載の発明は、請求項１に記載の発明において、前記機関の排気管には排気浄化触媒が設けられることを要旨とする。
【０００７】
内燃機関の排気管に排気浄化触媒が設けられる場合には、排気の熱により作動オイルと排気浄化触媒とをともに加熱する必要がある。このような場合、排気の温度がある程度高い温度であっても、作動オイルと排気浄化触媒との双方を加熱するのに十分ではない場合がある。
【０００８】
この点、上記構成によれば、昇温手段により排気を昇温させることができるため、高い温度の排気により作動オイル及び排気浄化触媒をともに適切に加熱することができる。
なお、加熱手段の排気下流側に排気浄化触媒が設けられる場合には、加熱手段を通じた排気と作動オイルとの熱交換によって排気が低温となり、排気浄化触媒の暖機が遅れる可能性がある。この点、同構成においては上記昇温手段を備えることにより、上述したように排気の温度が低下しても、この温度低下後の排気の温度をある程度高い温度に保つことができる。したがって、加熱手段の排気下流側に排気浄化触媒が設けられる場合でも、排気浄化触媒の暖機を促すことができる。
【０００９】
請求項１又は２に記載の発明は、具体的には、請求項３に記載の発明によるように、前記機関は、複数の気筒を有し、前記加熱手段は、前記複数の気筒のうちの一部の気筒の排気のみを用いて前記作動オイルの加熱を行い、前記昇温手段は、排気が前記作動オイルの加熱に用いられる気筒のみを対象として前記昇温制御を実行するといった態様を採用することができる。
【００１０】
また、請求項４に記載の発明によるように、前記機関は、複数のバンクを有し、前記加熱手段は、前記複数のバンクのうちの一部のバンクの気筒から排出される排気のみを用いて前記作動オイルの加熱を行い、前記昇温手段は、前記一部のバンクの気筒のみを対象として前記昇温制御を実行するといった態様を採用することもできる。
【００１１】
請求項３及び請求項４に記載の発明では、排気が作動オイルの加熱に用いられる気筒のみを対象として排気の昇温制御が実行されるため、排気が作動オイルの加熱に利用されない気筒において不必要な昇温制御が実行されることを抑制することができる。
【００１２】
昇温手段が実行する昇温制御としては、請求項５に記載の発明によるように、前記機関に供給される燃料の増量及び前記機関における点火時期の遅角の少なくともいずれかを採用することができる。
【００１３】
また、一部の気筒の排気のみが作動オイルの加熱に用いられる場合には、請求項６に記載の発明によるように、前記昇温手段は、前記昇温制御の対象となる気筒に供給される燃料の量をそうでない気筒に供給される燃料の量よりも増量すること、及び前記昇温制御の対象となる気筒の点火時期をそうでない気筒の点火時期よりも遅角することの少なくともいずれかを前記昇温制御として実行するといった態様を採用することができる。
【００１４】
請求項７に記載の発明は、請求項１〜６のいずれかに記載の発明において、前記加熱手段は、前記自動変速機のオイルパン内に設けられるオイルストレーナの吸込口近傍において前記作動オイルを加熱することを要旨とする。
【００１５】
上記構成によれば、オイルストレーナの吸込口近傍において作動オイルが加熱されるため、加熱直後の作動オイルがストレーナを介して自動変速機の各部位に送られることとなる。したがって、加熱された作動オイルの温度低下を極力抑えた状態で同作動オイルを自動変速機の各部位に送ることが可能になり、自動変速機の各部位の作動や潤滑をより適切に行うことができる。
【００１６】
請求項８に記載の発明は、請求項１〜７のいずれかに記載の発明において、前記加熱手段は、前記機関の排気管から分岐されて前記自動変速機のオイルパンの下方に延伸されるバイパス管を備えることを要旨とする。
【００１７】
上記構成によれば、加熱手段の配設が排気管の取り回しに及ぼす影響を極力小さくすることができる。そのため、例えば、加熱手段を設ける場合でもあっても排気管の形状設計における自由度を確保することが可能になる。
【００１８】
請求項９に記載の発明は、請求項８に記載の発明において、前記加熱手段は、前記作動オイルの温度を検出する油温センサと、前記検出される前記作動オイルの温度に基づいて前記バイパス管を流れる排気の流量を調整する調整弁とを備えることを要旨とする。
【００１９】
上記構成によれば、例えば、作動オイルの温度が低い場合にはバイパス管を流れる排気の流量を多くし、作動オイルの温度が高い場合にはバイパス管を流れる排気の流量を少なくするといった態様で、作動オイルの加熱の必要性に応じてバイパス管を流れる排気の流量を調整することができるため、作動オイルを適切に加熱することができる。
【００２０】
請求項１０に記載の発明は、請求項８又は９に記載の発明において、前記加熱手段は、前記自動変速機のオイルパンの上面において前記吸込口の直下の部位を中心として放射状に延伸して立設される複数のフィンをさらに備え、前記バイパス管は、前記オイルパンにおいて前記複数のフィンが形成される部位においてのみ前記オイルパンに当接されることを要旨とする。
【００２１】
上記構成によれば、バイパス管を流れる排気の熱が、バイパス管、オイルパン及びフィンを通じてオイルストレーナの吸込口近傍の作動オイルに伝達される。そして、バイパス管からオイルパンへの熱伝達において、空気を熱媒体とさせる必要ことがなく、バイパス管からオイルパンへ直接熱伝達がなされるため、熱伝達効率を高めることができる。また、複数のフィンによっても排気から作動オイルへの熱伝達効率を高めることができるようになる。
【発明を実施するための最良の形態】
【００２２】
以下、本発明の自動変速機のオイル加熱装置を具体化した一実施形態を図１〜図６に基づいて説明する。図１に本実施形態のオイル加熱装置が適用される自動変速機、同自動変速機が連結される内燃機関及びその周辺機構を示す。
【００２３】
図１に示すように、本実施形態における内燃機関５は、車両に搭載される６気筒Ｖ型ガソリンエンジンであり、それぞれ３つの気筒からなる第１のバンク２１及び第２のバンク２２を備えている。内燃機関５では、第１の吸気管１１、第１のバンク２１及び第１の排気管３１が順に接続され、第２の吸気管１２、第２のバンク２２及び第２の排気管３２が順に接続されている。そして、第１の排気管３１及び第２の排気管３２は、それらの下流側において合流し、第３の排気管３３に接続されている。
【００２４】
第１の吸気管１１を流れた空気は、第１のバンク２１の３つの気筒に形成される燃焼室２３〜２５に供給され、第２の吸気管１２を流れた空気は第２のバンク２２の３つの気筒に形成される燃焼室２６〜２８に供給される。本実施形態では、第１及び第２の各吸気管１１，１２にスロットルバルブ１３，１４がそれぞれ設けられている。そして、各スロットルバルブ１３，１４がスロットルモータ１５，１６により開度調整がなされることにより、第１及び第２の各バンク２１，２２の燃焼室２３〜２５，２６〜２８に供給される空気の量が調整される。
【００２５】
各燃焼室２３〜２８には、同燃焼室２３〜２８に燃料を直接供給するインジェクタ（図示略）と点火プラグ（図示略）とが配設されている。内燃機関５の各燃焼室２３〜２８においては、吸気管１１，１２を通じて供給された空気とインジェクタにより噴射された燃料との混合気に対して、点火プラグの火花放電による点火がなされる。そしてこれにより、混合気が燃焼し、この燃焼のエネルギーによってクランクシャフト（図示略）が回転する。そして、燃焼後の混合気は排気として各燃焼室２３〜２８から第１及び第２の各排気管３１，３２に排出される。なお、燃焼室２３〜２８への燃料の供給態様としては、燃焼室２３〜２８に直接燃料を供給する態様に代わり、吸気ポート（図示略）に燃料を噴射する態様を採用してもよい。
【００２６】
本実施形態では、第１のバンク２１の燃焼室２３〜２５から排出される排気が第１の排気管３１を流れ、第２のバンク２２の燃焼室２６〜２８ら排出される排気が第２の排気管３２を流れ、これらの排気は、第３の排気管３３において合流する。この第１〜第３の各排気管３１〜３３には、第１〜第３の各触媒コンバータ３４〜３６がそれぞれ設けられている。各触媒コンバータ３４〜３６は、燃焼によって生じた排気に含まれるＣＯ、ＨＣ及びＮＯｘなどの有害成分を低減させる三元触媒（排気浄化触媒）により構成されている。三元触媒は、高温の活性温度以上で活性した状態となる。また、この三元触媒は、燃焼室２３〜２８において燃焼する空気と燃料との重量比である空燃比が理論空燃比となると、これら３つの成分を同時に低減させることができる。
【００２７】
本実施形態において、自動変速機４０は、内燃機関５のクランク軸に連結されるトルクコンバータ４１と、トルクコンバータ４１の出力軸の回転速度を変速する変速部４２と、油圧制御部（図示略）とを備えている。そして、この油圧制御部の下部には、自動変速機４０の各部位の作動や潤滑等に用いられる作動オイルを貯留するオイルパン（図１では図示略）が設けられている。
【００２８】
本実施形態では、このオイルパンの下方に、第１の排気管３１から分岐され再び第１の排気管３１に合流するバイパス管３７が延伸して設けられており、これによりバイパス管３７を流れる排気の熱によりオイルパン内の作動オイルを適温に加熱するようにしている。また、バイパス管３７には、第１の排気管３１から分岐される部位において、バイパス管３７を流れる排気の流量を調整する調整弁３８が設けられている。本実施形態では、このバイパス管３７及び調整弁３８、並びに後述する複数のフィン４９及び油温センサ６０が加熱手段を構成している。
【００２９】
図２及び図３に、本実施形態の排気管及び自動変速機のオイルパンを示す。図２及び図３に示すように、オイルパン４５内には、オイルストレーナ４６が設けられている。このオイルストレーナ４６は、作動オイルを濾過するフィルタ（図示略）とこれを収容するケース４７とを備え、このケース４７には、ケース４７内に作動オイルを吸い込むための吸込口４８が形成されている。オイルパン４５に貯留される作動オイルは、この吸込口４８からケース４７内に入り、フィルタで濾過された後に、自動変速機４０の各部位に送られ、再びオイルパン４５に戻されるといった態様で、自動変速機４０の内部を循環している。
【００３０】
第１の排気管３１から分岐されるバイパス管３７は、より詳細には、オイルパン４５の下方においてこのオイルストレーナ４６のケース４７の吸込口４８の直下を通るように延伸されている。さらに、図３に示すように、バイパス管３７は、自動変速機４０のオイルストレーナ４６の吸込口４８の直下において管壁の一部が隆起しており、この隆起した部位がオイルパン４５の下面に当接するように構成されている。そして、オイルパン４５において、バイパス管３７が当接する部位の上面には、複数の板状のフィン４９が設けられている。図４は、このフィンの上面図である。この図４に示すように、この複数のフィン４９は、オイルストレーナ４６の吸込口４８の直下の部位を中心として放射状に延伸して立設されている。このようにして、本実施形態では、バイパス管３７を流れる排気の熱がオイルパン４５の複数のフィン４９を通じて、オイルストレーナ４６のケース４７に吸い込まれる直前の作動オイルを加熱する。
【００３１】
また、自動変速機４０において、オイルパン４５と作動オイルを冷却するオイルクーラ（図示略）との間には循環経路（図示略）が形成されており、この循環経路には作動オイルの温度を検出する油温センサ６０が設けられている。
【００３２】
このように構成された内燃機関５の各種制御及び自動変速機４０の作動オイルの加熱制御は、車両に搭載される電子制御装置７０によって実行される。電子制御装置７０は、内燃機関５の制御にかかる演算処理を実行するＣＰＵ、その制御に必要なプログラムやデータの記憶されたＲＯＭ、ＣＰＵの演算結果が一時的に記憶されるＲＡＭ、外部との間で信号を入・出力するための入・出力ポート等を備えて構成されている。
【００３３】
具体的には、電子制御装置７０の入力ポートには、先の図１に示されるように、車両の操作者によるアクセルペダルの踏込量を検出するアクセルセンサ５１、機関回転速度を検出する回転速度センサ５２、第１及び第２の各吸気管１１，１２を流れる吸気の流量を検出するエアフローメータ５３，５４が接続されている。また、電子制御装置７０の入力ポートには、内燃機関５の冷却水の温度を検出する水温センサ５５、自動変速機４０の作動オイルの温度を検出する油温センサ６０が接続されている。さらに、電子制御装置７０には、第１及び第２の各排気管３１，３２において、第１及び第２の各触媒コンバータ３４，３５の上流側に設けられる空燃比センサ５６，５７、第１及び第３の各排気管３１，３３において、第１及び第３の各触媒コンバータ３４，３６の下流側に設けられる排気温センサ５８，５９が接続されている。
【００３４】
一方、電子制御装置７０の出力ポートには、各燃焼室２３〜２８に配設されるインジェクタや点火プラグの駆動回路、各スロットルバルブ１３，１４を開閉するスロットルモータ１５，１６の駆動回路、及びバイパス管３７を流れる排気の流量を調整する調整弁３８のアクチュエータの駆動回路が接続されている。
【００３５】
こうした構成により、電子制御装置７０は、アクセルセンサ５１及び回転速度センサ５２の検出信号等から把握される内燃機関５の負荷や回転速度に基づき、同機関５において所望の出力トルクが得られるように、燃焼室２３〜２８に供給される空気の量を調整する。すなわち、電子制御装置７０は、スロットルモータ１５，１６を駆動制御することにより、スロットルバルブ１３，１４の開度調整を行い、これにより、第１及び第２の各吸気管１１，１２に運転状態に適した所望の流量の空気が流れるようにする。
【００３６】
また、電子制御装置７０は、エアフローメータ５３，５４によって検出される第１及び第２の各吸気管１１，１２を流れる空気の流量に基づいて、各燃焼室２３〜２８に供給される空気と燃料との重量比が理論空燃比となるように、インジェクタから燃焼室２３〜２８に供給される燃料の量を制御する。さらに、電子制御装置７０は、第１及び第２の各排気管３１，３２に設けられる空燃比センサ５６，５７の検出結果に基づいて燃焼室２３〜２８で燃焼する混合気の実際の空燃比を導出し、導出される空燃比が理論空燃比となるように、燃焼室２３〜２８に供給される燃料の量を増減調整する空燃比フィードバック制御を行う。本実施形態では、このように燃焼室２３〜２８で燃焼する混合気の空燃比を理論空燃比とすることにより、各触媒コンバータ３４〜３６において、排気を適切に浄化するようにしている。また、電子制御装置７０は、機関運転状態に基づいて、点火プラグによる混合気への点火時期を可変に制御する。
【００３７】
さらに本実施形態では、電子制御装置７０が、自動変速機４０の油温センサ６０の検出結果に基づいて調整弁３８の開度を調整し、これによりバイパス管３７を流れる排気の流量を調整することにより作動オイルを適温に加熱するようにしている。
【００３８】
ところで、上述したように、第１〜第３の各触媒コンバータ３４〜３６の三元触媒は、活性温度以上において排気の浄化を適切に行うことができる。そのため、例えば冷間始動時において、未だ触媒コンバータ３４〜３６の暖機が完了していない場合には、燃焼室２３〜２８から排出される排気の熱によって、自動変速機４０の作動オイルとともにこれら触媒コンバータ３４〜３６を加熱することが必要とされる。そして、このような場合、排気の温度がある程度高い温度であっても、作動オイルと各触媒コンバータ３４〜３６とを全てを加熱するのに十分ではない場合がある。特に、第１の排気管３１においては、第１の触媒コンバータ３４とバイパス管３７とが順に設けられているため、排気の熱が第１の触媒コンバータ３４において放熱されて排気が温度低下すると、低温の排気がバイパス管３７を流れることとなり、作動オイルの加熱を適切に行うことができない。また、第１の排気管３１の下流に第３の排気管３３が接続されているため、第１の排気管３１を流れる排気は、バイパス管３７を流れた後に第３の触媒コンバータ３６を流れることとなる。したがって、バイパス管３７を流れる排気が作動オイルと熱交換することによって、排気の温度がさらに低下すると、第３の触媒コンバータ３６には、第２の排気管３２を流れた排気とこうして温度低下した排気とが合流して流れるため、結果的に低温の排気が流れることとなり、これにより、第３の触媒コンバータ３６の暖機が遅くなる虞がある。
【００３９】
そこで、本実施形態では、電子制御装置７０が、排気により作動オイルを加熱する際に、昇温手段として内燃機関５の冷間始動時には排気の温度を昇温させる昇温制御を実行するようにしている。図５は、作動オイルの加熱制御の実行手順を示すフローチャートである。この制御は、内燃機関５の運転中において所定の制御周期を以て実行される。
【００４０】
作動オイルの加熱制御が開始されると、まずステップＳ１１において、作動オイルの温度が検出される。ここでは、電子制御装置７０が、上記油温センサ６０の検出信号を読み込むことにより作動オイルの温度を検出する。
【００４１】
そして、ステップＳ１２に移り、作動オイルの温度に基づいて調整弁３８の開度を調整する。具体的には、ステップＳ１１において検出された作動オイルの温度を図６に示すマップに適用することにより、調整弁３８の開度を制御する。すなわち、この図６に示すように、作動オイルの温度が所定温度Ｔ℃以下の低温である場合には、調整弁３８の開度は１００％に制御し、バイパス管３７を流れる排気の流量を最大量とすることにより、排気から作動オイルへ多量の熱が放出されるようにする。また、作動オイルの温度が所定温度Ｔ℃以上では、作動オイルの温度が高いほど調整弁３８の開度を小さくするように制御して、作動オイルの温度が高いほどバイパス管３７を流れる排気から作動オイルへ放出される熱量を少なくする。また、作動オイルが高温の９０℃となると、作動オイルを加熱する必要がないため、調整弁３８を全閉する。このようにして、調整弁３８の開度を制御することにより、作動オイルの加熱の必要性に応じて作動オイルを適切に加熱することができる。
【００４２】
次に、ステップＳ１３において、現在が冷間始動時か否かが判定される。この判定は、例えば水温センサ５５によって検出される冷却水温が所定の基準温度より低い温度であるか否かを判定することにより行う。そして、このステップＳ１３において、内燃機関５の冷却水温が低く、現在が冷間始動時であると判定されると、第１〜第３の各触媒コンバータ３４〜３６が未だ暖機されていないと考えられるため、内燃機関５の排気の熱により、作動オイルとともにこれら第１〜第３の各触媒コンバータ３４〜３６を加熱する必要がある。特に、第１のバンク２１の燃焼室２３〜２５から排出される排気は、第１の触媒コンバータ３４を加熱した後に、バイパス管３７を流れて自動変速機４０の作動オイルを加熱し、その後に第３の触媒コンバータ３６を加熱する。そのため、第１のバンク２１の燃焼室２３〜２５から排出される排気については、これらの加熱が適切に行われるように排気の温度を高温にする必要がある。
【００４３】
そこで、ステップＳ１３において、現在が冷間始動時であると判定された場合には、ステップＳ１４に移り、第１のバンク２１における各燃焼室２３〜２５において点火時期の遅角制御を実行する。この点火時期の遅角制御は、より詳細には、第１の触媒コンバータ３４の下流側の排気温センサ５８により検出される排気の温度Ｔ１と、第３の触媒コンバータ３６の下流側の排気温センサ５９により検出される排気の温度Ｔ３との偏差（Ｔ１−Ｔ３）が大きいほど、遅角の度合いを大きくするといった態様で行われる。これは、この偏差（Ｔ１−Ｔ３）が大きいほど、作動オイル及び第３の触媒コンバータ３６に多くの排気熱が放出されており、作動オイルや触媒コンバータ３６を加熱する必要性が高いと考えられるからである。なお、点火時期の遅角制御の態様としては、この方法に限らず、例えば、第１のバンク２１の各燃焼室２３〜２５から排出された直後の排気の温度を検出し、この排気の温度が低いほど、点火時期の遅角度合いが大きくなるように制御してもよいし、点火時期の遅角の度合いを一定としてもよい。
【００４４】
そして、こうした点火時期の遅角制御により、第１のバンク２１の各燃焼室２３〜２５から排出される排気の熱量が多くなるため、第１の排気管３１を流れる排気の温度が上昇し、第１の触媒コンバータ３４の暖機、作動オイルの加熱、第３の触媒コンバータ３６の暖機が適切に行われる。すなわち、このステップＳ１４におけるこの制御が本実施形態における昇温制御に該当する。
【００４５】
ここで、ステップＳ１４の点火時期の遅角制御が実行されていない状態では、点火時期及び燃料量、吸入空気量が内燃機関５の運転状態に基づいて制御されており、これらの値は、第１のバンク２１及び第２のバンク２２ともに同じ値に制御されている。したがって、第１のバンク２１における各燃焼室２３〜２５において点火時期の遅角がなされると、第１のバンク２１における出力トルクが減少するため、内燃機関５全体として車両の運転者が要求する出力トルクが得られない可能性がある。また、第１のバンク２１における点火時期が第２のバンク２２における点火時期よりも遅角されることにより、第１のバンク２１の出力トルクが第２のバンク２２の出力トルクよりも小さくなり、２つのバンク２１，２２の間で出力トルクとのずれが生じて、車両の運転者が違和感を覚える可能性がある。
【００４６】
そこで、ステップＳ１５に移り、第１のバンク２１の各燃焼室２３〜２５に対してインジェクタから供給される燃料を増量させることにより、第１のバンクにおける出力トルクの減少を抑制する。なお、燃料の増量は、点火時期を大きく遅角した場合には、多く増量するといった態様で行われる。そして、ステップＳ１６において、この燃料の量の増量に伴って、第１のバンク２１における各燃焼室２３〜２５に吸入される空気を増量すべく、第１の吸気管１１におけるスロットルバルブ１３の開度が大きくなるように制御される。すなわち、第１のバンク２１の各燃焼室２３〜２５に供給される燃料及び吸入空気は、第２のバンク２２の各燃焼室２６〜２８に供給される燃料及び吸入空気よりも増量される。そして、これらステップＳ１４〜１６の処理が行われた後にエンドに移り、本処理を一旦終了する。
【００４７】
なお、本実施形態では、第１及び第２の各吸気管１１、１２には、それぞれスロットルバルブ１３，１４が個別に設けられているため、スロットルバルブ１３の開度調整により第１のバンク２１の各燃焼室２３〜２５に供給される空気を増量するようにしている。しかしながら、このようにスロットルバルブ１３，１４を個別に設けることなく、各吸気管１１、１２の上流側において２つのバンク２１，２２に共通のスロットルバルブを設けるようにしてもよい。そして、この場合には、第１のバンク２１において、燃焼室２３〜２５と吸気ポートとを連通遮断する吸気バルブのリフト量、開弁時期を可変動弁機構により可変に制御できる構成を採用し、ステップＳ１５の吸入空気の増量制御では、第１のバンク２１における吸気バルブのリフト量や開弁時期が大きくなるように制御する。
【００４８】
以上のようにして、内燃機関５の冷間始動時には、第１のバンク２１において点火時期の遅角制御が実行されるため、第１のバンク２１から排出される排気の温度が上昇し、第１の触媒コンバータ３４、自動変速機４０の作動オイル及び第３の触媒コンバータ３６が適切に加熱される。また、この点火時期の遅角制御とともに、第１のバンク２１における燃料の増量及び吸入空気の増量が行われるため、点火時期の遅角に起因して、第１のバンク２１において出力トルクが減少することが抑制される。また、第１のバンク２１における各燃焼室２３〜２５に供給される燃料の増量によっても、これらの燃焼室２３〜２５から排出させる排気の温度を上昇させることができる。したがって、第１のバンク２１から排出される排気の温度をより効果的に上昇させることができる。
【００４９】
一方、先のステップＳ１３において冷間始動時ではないと判定されると、既に第１〜第３の各触媒コンバータ３４〜３６の暖機が完了しているため、排気の熱により第１〜第３の各触媒コンバータ３４〜３６を加熱する必要がないことから、エンドに移り、本処理を終了する。すなわち、内燃機関５の冷間始動時でない場合には、第１の排気管３１において、排気が第１の触媒コンバータ３４を通過する際にこの排気の熱がさほど多く放出されないため、排気は高温に保たれたままその下流に流れる。そして、この高温の排気は、調整弁３８が開いている場合には、バイパス管３７を流れて作動オイルと熱交換し温度低下する。これにより、第３の触媒コンバータ３６には、この温度低下した排気と第２の排気管３２を流れた排気と合流して流入することとなるが、第３の触媒コンバータ３６も既に暖機されているため、流入する排気の温度が低い場合であっても、活性温度に維持され排気を適切に浄化することができる。
【００５０】
以上詳述したように、本実施形態では、以下の作用効果を奏することができる。
（１）本実施形態では、内燃機関５において第１のバンク２１の燃焼室２３〜２５から排出される排気の熱により自動変速機４０の作動オイルを加熱するようにしている。また、電子制御装置７０が、この作動オイルの加熱に際して、第１のバンク２１の燃焼室２３〜２５における点火時期を遅角させることにより、これら各燃焼室２３〜２５から排出される排気を昇温させるようにしている。これにより、作動オイルの加熱に際して、第１のバンク２１の燃焼室２３〜２５から排出される排気を昇温させることができるため、高温の排気により作動オイルを適切に加熱することができる。
【００５１】
（２）本実施形態では、第１の排気管３１に第１の触媒コンバータ３４が設けられ、第３の排気管３３に第３の触媒コンバータ３６が設けられている。したがって、冷間始動時には、第１のバンク２１の燃焼室２３〜２５から排出される排気により第１の触媒コンバータ３４、自動変速機４０の作動オイル及び第３の触媒コンバータ３６を加熱することが必要となる。
【００５２】
この点、本実施形態では、冷間始動時には、第１のバンク２１の各燃焼室２３〜２５において点火時期の遅角制御が実行されるため、第１のバンク２１の燃焼室２３〜２５から排出される排気が高温となり、この高温の排気により作動オイルの加熱と第１及び第３の各触媒コンバータ３４、３６の暖機とを行うことができる。すなわち、排気の昇温制御が実行されると、この高温の排気は、第１の触媒コンバータ３４に放熱した後も高温に保たれるため、高温の排気により作動オイルの加熱を適切に行うことができる。また、この排気が作動オイルに放熱して温度低下しても、この排気の温度は、ある程度高い温度に保たれるため、第３の触媒コンバータ３６についても暖機を促進することができる。
【００５３】
（３）本実施形態では、内燃機関５がそれぞれ３つの気筒からなる第１のバンク２１及び第２のバンク２２を備え、このうちの第１のバンク２１の燃焼室２３〜２５から排出される排気のみを用いて作動オイルの加熱が行われる。そして、このように排気が作動オイルの加熱に用いられる第１のバンク２１の燃焼室２３〜２５のみを対象として、排気を昇温するための点火時期の遅角制御が実行される。したがって、排気が作動オイルの加熱に利用されない第２のバンク２２おいては、不必要な点火時期の遅角制御が実行されることを抑制することができる。
【００５４】
（４）本実施形態では、第１のバンク２１における点火時期の遅角制御とともに、第１のバンク２１における燃料の増量及び吸入空気の増量を行うようにしている。したがって、点火時期の遅角に起因した出力トルクの減少を抑制することができるとともに、この燃料の増量及び吸入空気の増量によっても、排気をさらに昇温させることができる。
【００５５】
（５）本実施形態では、加熱手段が、内燃機関５の第１の排気管３１から分岐されて自動変速機４０のオイルパン４５の下方に延伸されるバイパス管３７を備えている。したがって、加熱手段の配設が排気管３１の取り回しに与える影響を極力小さくすることができる。そのため、例えば、加熱手段を設ける場合でもあっても排気管３１の形状設計における自由度を確保することが可能になる。
【００５６】
（６）本実施形態では、バイパス管３７がオイルパン４５の下方において、オイルストレーナ４６のケース４７の吸込口４８の直下を通るように延伸されている。これにより、オイルストレーナ４６の吸込口４８近傍において作動オイルが加熱されるため、加熱直後の作動オイルがストレーナ４６を介して自動変速機４０の各部位に送られることとなる。したがって、加熱された作動オイルの温度低下を極力抑えた状態で同作動オイルを自動変速機４０の各部位に送ることが可能となり、自動変速機４０の各部位の作動や潤滑をより適切に行うことができる。
【００５７】
（７）本実施形態では、加熱手段が、作動オイルの温度を検出する油温センサ６０と、油温センサ６０により検出される作動オイルの温度に基づいてバイパス管３７を流れる排気の流量を調整する調整弁３８とを備えている。したがって、図６に示したように、作動オイルの温度が低い場合にはバイパス管３７を流れる排気の流量を多くし、作動オイルの温度が高い場合にはバイパス管３７を流れる排気の流量を少なくするといった態様で、作動オイルの加熱の必要性に応じて作動オイルを適切に加熱することができる。
【００５８】
（８）本実施形態では、加熱手段が、自動変速機４０のオイルパン４５の上面においてオイルストレーナ４６の吸込口４８の直下の部位を中心として放射状に延伸して立設される複数のフィン４９を備えている。そして、バイパス管３７は、オイルパン４５においてフィン４９が形成される部位の下面においてのみオイルパン４５に当接されている。これにより、バイパス管３７を流れる排気の熱が、バイパス管３７、オイルパン４５及びフィン４９を通じてオイルストレーナ４６の吸込口近傍の作動オイルに伝達され、バイパス管３７からオイルパン４５への熱伝達が空気を介在させることなく行われるため、熱伝達効率を高めることができる。また、複数のフィン４９を通じてオイルストレーナ４６の吸込口４８近傍の作動オイルに熱を伝達することができるため、排気から作動オイルへの熱伝達効率を高めることができるようになる。
【００５９】
（その他の実施形態）
なお、上記実施形態は以下のように適宜変更してもよい。
・上記実施形態では、冷間始動時の判定を機関冷却水温に基づいて行うようにしている。しかしながら、例えば、冷間始動時には、吸気温度、作動オイルの温度、触媒コンバータの温度が低いため、これらの温度の何れかを検出し、検出される温度が低い場合には冷間始動時であると判定するようにしてもよい。
【００６０】
・上記各実施形態では、点火時期の遅角を行うことにより排気の昇温制御を実行するようにしている。しかしながら、点火時期の遅角に代わり、燃料を増量することにより昇温制御を実行するようにしてもよい。また、燃料を増量すると出力トルクが増大するため、これを抑制すべく点火時期の遅角を実行するようにしてもよい。また、昇温制御として、点火時期の遅角と燃料の増量との双方を行ってもよい。また、この昇温制御の実行にあたり、図５のフローチャートに示される態様で冷間始動時であると判定される間は昇温制御を実行し続けるようにしてもよいし、一度冷間始動時である旨が判定されると、その後の所定期間において昇温制御を実行して、それ以降は昇温制御を行わないようにしてもよい。また、上記各実施形態では、点火時期の遅角に起因した出力トルクの減少や、燃料増量に起因した出力トルクの増大などの昇温制御に起因した出力トルクの変動が生じた場合、これを抑制する制御を実行しているが、この出力トルクの変動を抑制する制御を実行しなくてもよい。
【００６１】
・上記実施形態では、冷間始動時においてのみ、排気の昇温制御を実行するようにしている。しかしながら、常温での始動時や、機関暖機後においても、作動オイルの加熱の要求がある場合には、必要に応じて昇温制御を実行するようにしてもよい。
【００６２】
・上記各実施形態では、加熱手段が、バイパス管３７、調整弁３８、オイルパン４５に形成される複数のフィン４９及び油温センサ６０を備えている。しかしながら、加熱手段の態様として、この他の構成を採用するようにしてもよい。
【００６３】
すなわち、例えば、バイパス管はオイルストレーナの吸込口近傍のみならずその他の部位においてもオイルパンに当接させるようにしてもよい。また、バイパス管は、オイルパンの下面に当接させず、バイパス管を流れる排気の熱をバイパス管からオイルパンへ伝達するにあたり空気を熱媒体とするようにしてもよい。
【００６４】
また、第１の排気管からバイパス管へ流れる排気の量を調整する調整弁において、油温センサに基づく開度制御態様は、図６に示す態様に限定されない。さらに調整弁は、開度調整を行わず開閉のみを行う構成であってもよい。その場合は、例えば、油温センサが検出する温度に低いほど調整弁の開弁時間を長くするようにしてもよい。また、油温センサの検出結果に依らず、例えば機関始動後一定期間は、調整弁の開度を大きくするといった制御を行うようにしてもよい。
【００６５】
また、第１の排気管からバイパス管を分岐させることなく、第１の排気管自体をオイルパンの下方に延伸させることにより、第１の排気管を流れる排気により作動オイルを加熱するようにしてもよい。
【００６６】
また、フィンの形状等は特に限定されず、例えばフィンをオイルストレーナの吸込口近傍のみならずオイルパンの上面全体に設けるようにし、オイルパンに貯留されている作動オイル全体を加熱するようにしてもよい。さらに、フィンを設けることなく、排気の熱がオイルパンの下面のみから作動オイルに伝達されるようにしてもよい。
【００６７】
・上記各実施形態では、内燃機関が２つのバンクを備えているが、バンクの数は２つに限定されない。また、内燃機関がバンクを有さず、全ての気筒が直列に配置される構成であってもよい。また、そのような場合において、作動オイルの加熱を一部の気筒から排出される排気のみを用いて行ってもよいし、全ての気筒から排出される排気を用いて行ってもよい。また、一部の気筒から排出される排気により作動オイルを加熱する場合には、その一部の気筒のみを対象として排気の昇温制御を行ってもよいし、全ての気筒に対して昇温制御を行ってもよい。
【００６８】
・上記各実施形態において、排気管における作動オイルの加熱手段（バイパス管）の上流と下流との双方に排気浄化触媒が設けられていたが、上流と下流との何れかのみに排気浄化触媒画も受けられる構成であってもよい。
【図面の簡単な説明】
【００６９】
【図１】本発明にかかる自動変速機のオイル加熱装置の一実施形態において自動変速機、同変速機が連結される内燃機関及びその周辺機構を示す模式図。
【図２】同実施形態において、第１〜第３の各排気管、第１の排気管から分岐されるバイパス管、オイルパン及びオイルストレーナの斜視図。
【図３】図２のＡ−Ａ線における断面図。
【図４】同実施形態において、オイルパンに形成される複数のフィンの上面図。
【図５】同実施形態において、作動オイルの加熱制御の実行手順を示すフローチャート。
【図６】同実施形態において、作動オイルの温度に対する調整弁の開度を示すグラフ。
【符号の説明】
【００７０】
５…内燃機関、１１…第１の吸気管、１２…第２の吸気管、１３，１４…スロットルバルブ、１５，１６…スロットルモータ、２１…第１のバンク、２２…第２のバンク、２３〜２８…燃焼室、３１…第１の排気管、３２…第２の排気管、３３…第３の排気管、３４…第１の触媒コンバータ、３５…第２の触媒コンバータ、３６…第３の触媒コンバータ、３７…バイパス管、３８…調整弁、４０…自動変速機、４１…トルクコンバータ、４２…変速部、４５…オイルパン、４６…オイルストレーナ、４７…ケース、４８…吸込口、４９…フィン、５１…アクセルセンサ、５２…回転速度センサ、５３，５４…エアフローメータ、５５…水温センサ、５６，５７…空燃比センサ、５８，５９…排気温センサ、６０…油温センサ、７０…電子制御装置。
【図１】
2010144801.tif 000003
【図２】
2010144801.tif 000004
【図３】
2010144801.tif 000005
【図４】
2010144801.tif 000006
【図５】
2010144801.tif 000007
【図６】
2010144801.tif 000008